【手続補正書】
【提出日】平成21年1月29日(2009.1.29)
【手続補正１】
【補正対象書類名】特許請求の範囲
【補正対象項目名】全文
【補正方法】変更
【補正の内容】
【特許請求の範囲】
【請求項１】
ストリームを再生する再生装置において、
少なくとも１つのストリームの時間軸上の位置を示す主の再生パス、少なくとも１つの他のストリームの時間軸上の位置を示す1以上の副の再生パス、および、再生するストリームを選択するための選択情報であって、前記主の再生パスにより参照されて時間軸上の位置が示された１以上の前記ストリームのうちの１以上の種類のストリームを選択し、１以上の前記副の再生パスのうちのいずれかにより参照されて時間軸上の位置が示された１以上の種類のストリームを選択するための前記選択情報を含む再生管理情報を取得する取得手段と、
前記取得手段により取得された前記再生管理情報に含まれる前記選択情報に基づいて、再生するストリームの選択を受け付ける受付手段と、
前記受付手段により、前記再生するストリームの選択が受け付けられた場合、前記主の再生パスにより参照されて時間軸上の位置が示された１以上の前記ストリームのうちの選択が受け付けられたストリームを、前記主の再生パスを参照して読み出すとともに、１以上の前記副の再生パスのうちのいずれかにより参照されて時間軸上の位置が示された１以上の前記ストリームのうちの選択が受け付けられたストリームを、対応する前記副の再生パスを参照して読み出す読み出し手段と、
前記読み出し手段により読み出された前記主の再生パスにより参照されて時間軸上の位置が示された前記ストリームと前記副の再生パスにより参照されて時間軸上の位置が示された前記ストリームの中に、所定の種類のストリームが２以上含まれていた場合、前記所定の種類の２以上のストリームを合成する合成手段と
を備える再生装置。
【請求項２】
前記読み出し手段により読み出された前記主の再生パスにより参照されて時間軸上の位置が示された前記ストリームと前記副の再生パスにより参照されて時間軸上の位置が示された前記ストリームとのそれぞれを復号する復号手段を更に備え、
前記合成手段は、前記復号手段により復号された前記ストリームのうち、前記所定の種類の２以上のストリームを合成して出力する
請求項１に記載の再生装置。
【請求項３】
前記選択情報には、前記主の再生パスにより参照されて時間軸上の位置が示された前記所定の種類の第１のストリームと、前記副の再生パスにより参照されて時間軸上の位置が示された前記所定の種類の第２のストリームとの組み合わせを示す情報がさらに含まれ、
前記受付手段は、前記選択情報に基づいて、再生するストリームの選択を受け付け、
前記読み出し手段は、前記受付手段により、前記第１のストリームと前記第２のストリームとの再生の選択が受け付けられた場合、前記主の再生パスにより参照される前記所定の種類の前記第１のストリームとともに、１以上の前記副の再生パスのうちの所定のものにより参照される前記所定の種類の前記第２のストリームを読み出し、
前記合成手段は、前記読み出し手段により読み出された前記所定の種類の前記第１のストリームと前記第２のストリームとを合成する
請求項１に記載の再生装置。
【請求項４】
前記主の再生パスにより参照されて時間軸上の位置が示された前記所定の種類のストリームは、第１のビデオストリームであり、
前記選択情報には、前記第１のビデオストリームに対応する第１のオーディオストリームとは独立した第２のオーディオストリームと、前記第１のオーディオストリームとの組み合わせを定義する情報が更に含まれている
請求項３に記載の再生装置。
【請求項５】
前記受付手段は、
前記主の再生パスにより参照される前記第１のストリームの再生と、
前記副の再生パスにより参照される前記第２のストリームの再生と、
前記主の再生パスにより参照される前記第１のストリームと、前記第１のストリームとは異なるファイルに含まれている前記副の再生パスにより参照される前記第２のストリームとを組み合わせた再生と、
前記副の再生パスにより参照される前記第２のストリーム同士を組み合わせた再生と、
前記主の再生パスにより参照される前記第１のストリームと、前記第１のストリームと同一のファイルに含まれている前記副の再生パスにより参照される前記第２のストリームとを組み合わせた再生と
のうちのいずれかにおいて再生されるストリームの選択を受け付ける
請求項３に記載の再生装置。
【請求項６】
前記取得手段により取得される前記再生管理情報は、前記副の再生パスにより参照されて時間軸上の位置が示された所定の種類の２つのストリームの組み合わせを示す情報をさらに含み、
前記読み出し手段は、前記受付手段により、前記所定の種類の２つのストリームの組み合わせの再生の選択が受け付けられた場合、前記副の再生パスにより参照される、対応する前記所定の種類の２つのストリームを読み出し、
前記合成手段は、前記読み出し手段により読み出された前記所定の種類の２つのストリームを合成する
請求項３に記載の再生装置。
【請求項７】
前記選択情報は、合成すべきストリームがエントリーされているか否かを示す情報を更に含み、
前記受付手段は、合成すべきストリームがエントリーされているか否かを示す情報に基づいて、前記主の再生パスおよび前記副の再生パスの少なくともいずれか一方の再生パスにより参照されて時間軸上の位置が示されたストリームから、同種のストリームの組み合わせの選択を受け付けつけるか、又は、同種のストリームの単独の選択を受け付け、
前記読み出し手段は、前記選択情報に基づいて前記受付手段により受け付けられたエントリーされているストリームを読み出す
請求項３に記載の再生装置。
【請求項８】
前記選択情報には、前記主の再生パスにより参照されて時間軸上の位置が示された前記所定の種類のストリームとともに再生可能な、前記主の再生パスまたは前記副の再生パスにより参照されて時間軸上の位置が示された１以上のストリームの組み合わせが１以上定義され、定義された１以上の前記組み合わせのそれぞれを示す情報がさらに含まれ、
前記受付手段は、前記選択情報に基づいて、再生するストリームの選択を、１以上の前記組み合わせのうちの所定の組み合わせとして受け付け、
前記読み出し手段は、前記受付手段により前記所定の組み合わせが受け付けられた場合、前記主の再生パスにより参照される前記所定の種類の前記ストリームとともに、前記所定の組み合わせで特定される１以上のストリームを読み出す
請求項１に記載の再生装置。
【請求項９】
前記主の再生パスにより参照されて時間軸上の位置が示された前記所定の種類のストリームは、第１のビデオストリームであり、
前記選択情報には、前記第１のビデオストリームとは独立した第２のビデオストリームと、前記第２のビデオストリームに対応する第２のオーディオストリームとの組み合わせを定義する情報が更に含まれている
請求項８に記載の再生装置。
【請求項１０】
前記主の再生パスにより参照されて時間軸上の位置が示された前記所定の種類のストリームは、第１のビデオストリームであり、
前記選択情報には、前記第１のビデオストリームとは独立した第２のビデオストリームと、前記第２のビデオストリームに対応する第１の画像情報との組み合わせを定義する情報が更に含まれている
請求項８に記載の再生装置。
【請求項１１】
前記第１のビデオストリームに対応する第２の画像情報および前記第２のビデオストリームに対応する前記第１の画像情報を再生表示するか否かを示す情報を保持する第１の保持手段と、
前記第２の画像情報が表示される場合に、前記選択情報により選択可能なように設定されている前記第２の画像情報のストリームのうち、いずれのストリームが再生されるかを示す情報を保持する第２の保持手段と、
前記第１の画像情報が表示される場合に、前記選択情報により選択可能なように設定されている前記第１の画像情報のストリームのうち、いずれのストリームが再生されるかを示す情報を保持する第３の保持手段と、
前記第１の画像情報または前記第２の画像情報のうちのいずれの画像情報を再生表示するかを示す情報を保持する第４の保持手段と
を更に備え、
前記読み出し手段は、前記第１の保持手段、前記第２の保持手段、前記第３の保持手段、および、前記第４の保持手段にそれぞれ保持されている情報を更に参照して、再生される第１の画像情報または前記第２の画像情報に対応するストリームを読み出す
請求項１０に記載の再生装置。
【請求項１２】
前記副の再生パスのタイプが、その副の再生パスにより参照されるストリームの種類に従って１以上定義されており、
前記再生管理情報に含まれる１以上の前記副の再生パスは、定義された１以上の前記タイプのうちの所定の１つに分類されており、その分類の結果がさらに前記再生管理情報に含まれている
請求項１に記載の再生装置。
【請求項１３】
定義された１以上の前記タイプには、対象の副の再生パスにより参照されるストリームの種類が１種類以上である、というタイプを含む
請求項１２に記載の再生装置。
【請求項１４】
定義された１以上の前記タイプには、対象の副の再生パスにより参照されるストリームの種類が１種類以上であって、１種類以上の前記ストリームは、前記主の再生パスにより参照されるストリームが含まれているファイルとは異なるファイルに含まれている、というタイプを含む
請求項１３に記載の再生装置。
【請求項１５】
定義された１以上の前記タイプには、対象の副の再生パスにより参照されるストリームの種類が１種類以上であって、１種類以上の前記ストリームは、前記主の再生パスにより参照されるストリームが含まれているファイルと同一ファイルに含まれている、というタイプを含む
請求項１３に記載の再生装置。
【請求項１６】
ユーザによる操作入力の補助となる情報を表示する表示画面の表示を制御する表示制御手段を更に備え、
前記主の再生パスにより参照されて時間軸上の位置が示された前記所定の種類のストリームは、第１のビデオストリームであり、
前記受付手段により、前記第１のビデオストリームと同期して再生させる前記第１のビデオストリームとは独立した第２のビデオストリームの選択が受け付けられた場合、前記表示制御手段は、前記第２のビデオストリームに対応して再生可能なストリームの一覧の前記表示画面への表示を制御し、
前記受付手段は、前記表示制御手段により表示が制御された前記表示画面を参照した前記ユーザからの、前記第２のビデオストリームに対応して再生可能なストリームの選択を受け付ける
請求項１に記載の再生装置。
【請求項１７】
ストリームを再生する再生装置の再生方法において、
少なくとも１つのストリームの時間軸上の位置を示す主の再生パス、少なくとも１つの他のストリームの時間軸上の位置を示す１以上の副の再生パス、および、再生するストリームを選択するための選択情報であって、前記主の再生パスにより参照されて時間軸上の位置が示された１以上の前記ストリームのうちの１以上の種類のストリームを選択し、１以上の前記副の再生パスのうちのいずれかにより参照されて時間軸上の位置が示された１以上の種類のストリームを選択するための前記選択情報を含む再生管理情報を取得する取得ステップと、
前記取得ステップの処理により取得された前記再生管理情報に含まれる前記選択情報に基づいて、再生するストリームの選択を受け付ける受付ステップと、
前記受付ステップの処理により、前記再生するストリームの選択が受け付けられた場合、前記主の再生パスにより参照されて時間軸上の位置が示された１以上の前記ストリームのうちの選択が受け付けられたストリームを、前記主の再生パスを参照して読み出すとともに、１以上の前記副の再生パスのうちのいずれかにより参照されて時間軸上の位置が示された１以上の前記ストリームのうちの選択が受け付けられたストリームを、対応する前記副の再生パスを参照して読み出す読み出しステップと、
前記読み出しステップの処理により読み出された前記主の再生パスにより参照されて時間軸上の位置が示された前記ストリームと前記副の再生パスにより参照されて時間軸上の位置が示された前記ストリームの中に、所定の種類のストリームが２以上含まれていた場合、前記所定の種類の２以上のストリームを合成する合成ステップと
を含む再生方法。
【請求項１８】
ストリームを再生するための処理をコンピュータに実行させるためのプログラムであって、
少なくとも１つのストリームの時間軸上の位置を示す主の再生パス、少なくとも１つの他のストリームの時間軸上の位置を示す１以上の副の再生パス、および、再生するストリームを選択するための選択情報であって、前記主の再生パスにより参照されて時間軸上の位置が示された１以上の前記ストリームのうちの１以上の種類のストリームを選択し、１以上の前記副の再生パスのうちのいずれかにより参照されて時間軸上の位置が示された１以上の種類のストリームを選択するための前記選択情報を含む再生管理情報を取得する取得ステップと、
前記取得ステップの処理により取得された前記再生管理情報に含まれる前記選択情報に基づいて、再生するストリームの選択を受け付ける受付ステップと、
前記受付ステップの処理により、前記再生するストリームの選択が受け付けられた場合、前記主の再生パスにより参照されて時間軸上の位置が示された１以上の前記ストリームのうちの選択が受け付けられたストリームを、前記主の再生パスを参照して読み出すとともに、１以上の前記副の再生パスのうちのいずれかにより参照されて時間軸上の位置が示された１以上の前記ストリームのうちの選択が受け付けられたストリームを、対応する前記副の再生パスを参照して読み出す読み出しステップと、
前記読み出しステップの処理により読み出された前記主の再生パスにより参照されて時間軸上の位置が示された前記ストリームと前記副の再生パスにより参照されて時間軸上の位置が示された前記ストリームの中に、所定の種類のストリームが２以上含まれていた場合、前記所定の種類の２以上のストリームを合成する合成ステップと
を含む処理をコンピュータに実行させるプログラム。
【請求項１９】
少なくとも１つのストリームの再生を管理する情報である再生管理情報を含むデータ構造であって、
前記再生管理情報は、
少なくとも１つの前記ストリームの時間軸上の位置を示す主の再生パスと、
少なくとも１つの他のストリームのそれぞれの時間軸上の位置を示す1以上の副の再生パスと、
再生する前記ストリームを選択するための選択情報であって、前記主の再生パスにより参照されて時間軸上の位置が示された１以上の前記ストリームのうちの１以上の種類のストリームを選択し、１以上の前記副の再生パスのうちのいずれかにより参照されて時間軸上の位置が示された１以上の種類のストリームを選択するための前記選択情報と
を含むデータ構造。
【請求項２０】
再生装置において再生可能なデータが記録される記録媒体の製造方法であって、
少なくとも１つのストリームの再生を管理する情報である再生管理情報を含み、
前記再生管理情報に、
少なくとも１つの前記ストリームの時間軸上の位置を示す主の再生パスと、
少なくとも１つの他のストリームの時間軸上の位置を示す1以上の副の再生パスと、
再生する前記ストリームを選択するための選択情報であって、前記主の再生パスにより参照されて時間軸上の位置が示された１以上の前記ストリームのうちの１以上の種類のストリームを選択し、１以上の前記副の再生パスのうちのいずれかにより参照されて時間軸上の位置が示された１以上の種類のストリームを選択するための前記選択情報と
を含むデータ構造を有するデータを生成し、
生成された前記データを前記記録媒体に記録する
ステップを含む記録媒体の製造方法。
【手続補正２】
【補正対象書類名】明細書
【補正対象項目名】発明の名称
【補正方法】変更
【補正の内容】
【発明の名称】再生装置および再生方法、プログラム、データ構造、並びに、記録媒体の製造方法
【手続補正３】
【補正対象書類名】明細書
【補正対象項目名】０００１
【補正方法】変更
【補正の内容】
【０００１】
本発明は、再生装置および再生方法、プログラム、データ構造、並びに、記録媒体の製造方法に関し、特に、メインのＡＶストリームとは異なる他のストリームやデータファイルで音声や映像等の各種類のコンテンツを用意して再生可能なようにした場合に用いて好適な、再生装置および再生方法、プログラム、データ構造、並びに、記録媒体の製造方法に関する。
【手続補正４】
【補正対象書類名】明細書
【補正対象項目名】００１８
【補正方法】削除
【補正の内容】
【手続補正５】
【補正対象書類名】明細書
【補正対象項目名】００２８
【補正方法】削除
【補正の内容】
【手続補正６】
【補正対象書類名】明細書
【補正対象項目名】００３６
【補正方法】削除
【補正の内容】
【手続補正７】
【補正対象書類名】明細書
【補正対象項目名】００３８
【補正方法】変更
【補正の内容】
【００３８】
本発明の一側面のデータ構造においては、少なくとも１つのストリームを含む第１のファイルの再生を管理する情報である再生管理情報が含まれている。詳細には、前記再生管理情報には、少なくとも１つの前記ストリームの時間軸上の位置を示す主の再生パスと、少なくとも１つの他のストリームの時間軸上の位置を示す1以上の副の再生パスと、再生する前記ストリームを選択するための選択情報であって、前記主の再生パスにより参照されて時間軸上の位置が示された１以上の前記ストリームのうちの１以上の種類のストリームを選択し、１以上の前記副の再生パスのうちのいずれかにより参照されて時間軸上の位置が示された１以上の種類のストリームを選択するための前記選択情報とが含まれている。
【手続補正８】
【補正対象書類名】明細書
【補正対象項目名】００５５
【補正方法】削除
【補正の内容】
【手続補正９】
【補正対象書類名】明細書
【補正対象項目名】００６２
【補正方法】変更
【補正の内容】
【００６２】
本発明の一側面のデータ構造には、少なくとも１つのストリームの再生を管理する情報（例えば、図６、図５１、図５２等のPlayList）が含まれ、  前記再生管理情報は、  少なくとも１つの前記ストリームの時間軸上の位置を示す主の再生パス（例えば、図６、図５１、図５２等のMain path:メインパス）と、  少なくとも１つの他のストリームの時間軸上の位置を示す1以上の副の再生パス（例えば、図６、図５１、図５２等の１以上のSub path:サブパスを含む情報）と、  再生する前記ストリームを選択するための選択情報であって、主の再生パスにより参照されて時間軸上の位置が示された１以上の前記ストリームのうちの１以上の種類のストリームを選択し、１以上の副の再生パスのうちのいずれかにより参照されて時間軸上の位置が示された１以上の種類のストリームを選択するための前記選択情報（例えば、図１４、図１６、図３５、図３７、図４１、図４４、図４５、図６９、図７０、図７６、図７７、図７８、図８３、図８４、図８５等のSTN_table()）とを含む。